(57)【要約】【課題】  乾燥容量の超過判断に基づく報知が、使用者による選択設定に応じてできるようにする。【解決手段】  洗濯物の洗濯、脱水、乾燥を行うもので、その開始後に洗濯物の量の検知を行い、その検知結果が乾燥容量を超過していると判断されたときにその旨の報知をするものにおいて、前記乾燥容量の超過判断のしきい値を、運転のコース設定や乾燥行程の内容設定など、使用者による選択設定に応じて異ならせた。これにより、乾燥不足を洗濯乾燥機の乾燥容量の超過判断の不確かさで来たすようなこともなく、又、使用者が不必要な洗濯物の取り出し作業を洗濯乾燥機の乾燥容量の超過判断の不確かさで強いられることもないようにできる。【選択図】  図１
2005168895.tif 000002
【特許請求の範囲】
【請求項１】
洗濯物の洗濯、脱水、乾燥を行うもので、その開始後に洗濯物の量の検知を行い、その検知結果が乾燥容量を超過していると判断されたときにその旨の報知をするものにおいて、
前記乾燥容量の超過判断のしきい値を、使用者による選択設定に応じて異ならせたことを特徴とする洗濯乾燥機。
【発明の詳細な説明】
【技術分野】
【０００１】
本発明は、乾燥容量の超過報知機能を有する洗濯乾燥機に関する。
【背景技術】
【０００２】
従来より、洗濯物の洗濯、脱水、乾燥を行う洗濯乾燥機においては、洗濯・脱水容量と乾燥容量とが異なる。これは、洗濯物を乾燥させるのに、洗濯槽内には、温風の通りを良くすると共に、洗濯物の撹拌運動を盛んにする必要があり、しかも、それらを、乾燥が進むに従って洗濯物が膨らみを増す状況にあっても許容するために、洗濯・脱水時以上のスペースが必要であるからであり、従って、乾燥容量が洗濯・脱水容量より小さく、それらが同じである（洗濯物を洗濯・脱水容量のまま乾燥させようとする）と、洗濯物の乾燥が良好にできないことになる。
【０００３】
このため、従来の洗濯乾燥機においては、運転の開始後に洗濯物の量の検知を行い、その検知結果が乾燥容量を超過していると判断されたときに、その旨の報知をするようにしたものが供されている。
【特許文献１】特許第２６３９０６６号公報
【発明の開示】
【発明が解決しようとする課題】
【０００４】
しかしながら、上記従来のものの場合、乾燥容量の超過判断のしきい値は一つであり、運転のコースや乾燥行程の内容設定など、使用者による選択設定によっては、実際の乾燥容量がより小さく制限される設定内容であったにもかかわらず、乾燥容量が超過しているとの判断がなされずに、乾燥容量が超過してしまい、乾燥不足を来たす結果となっていた。又、反対に、使用者による選択設定によっては、実際の乾燥容量がより大きく許容される設定内容であったにもかかわらず、乾燥容量が超過しているとの判断がなされたために、使用者が必要のない洗濯物の取り出し作業を強いられる結果となっていた。
【０００５】
本発明は上述の事情に鑑みてなされたものであり、従ってその目的は、乾燥容量の超過判断に基づく報知が、使用者による選択設定に応じてできる洗濯乾燥機を提供するにある。
【課題を解決するための手段】
【０００６】
上記目的を達成するために、本発明の洗濯乾燥機においては、洗濯物の洗濯、脱水、乾燥を行うもので、その開始後に洗濯物の量の検知を行い、その検知結果が乾燥容量を超過していると判断されたときにその旨の報知をするものにおいて、前記乾燥容量の超過判断のしきい値を、使用者による選択設定に応じて異ならせたことを特徴とする。
【発明の効果】
【０００７】
上記手段によれば、乾燥容量の超過判断のしきい値が、使用者による選択設定に応じた値となることにより、乾燥容量の超過判断に基づく報知が、使用者による選択設定に応じてできることになる。
【発明を実施するための最良の形態】
【０００８】
以下、本発明の一実施例（一実施形態）につき、図面を参照して説明する。
まず、図２には、洗濯乾燥機の全体構成を示しており、外箱１の内部に外槽２を配設している。外箱１は、前面部に洗濯物出入口３を有する矩形箱状のもので、その洗濯物出入口３をドア４により開閉するようにしている。
これに対して、外槽２は、前面部に洗濯物通口５を有するドラム状のもので、その洗濯物通口５をベロー６により上記外箱１の洗濯物出入口３と接続している。又、外槽２は、外箱１の底面から立設した複数組（１組のみ図示）のサスペンション７により、横軸状で且つ前上がり（図中左上がり）の傾斜状に弾性支持している。
【０００９】
更に、外槽２の底部には貯水部８を設けており、この貯水部８の最低部である最後部に排水弁９を接続し、この排水弁９に排水ホース１０を接続している。又、貯水部８には、洗濯水加熱用のヒータ１１を配設している。
外槽２の内部には、内槽１２を回転可能に配設している。この内槽１２も、前面部に洗濯通口１３を有するドラム状のもので、その周側壁には、洗濯物撹拌用のバッフル１４を複数（図示は１つのみ）設けると共に、脱水用の通水孔であり乾燥用の通気孔でもある通孔１５をほゞ全面にわたり多数形成している（図示は一部のみ）。
【００１０】
外槽２の背部にはモータ１６を取付けている。このモータ１６はアウターロータ形で、そのロータ１６ａと一体に回転する回転軸１６ｂを外槽２内に挿入し、その先端部に内槽１２を取付けている。この結果、内槽１２はモータ１６により回転駆動されるようになっている。又、内槽１２は外槽２と同軸状（横軸状で且つ前上がりの傾斜状）に支持されている。
【００１１】
外槽２外の背部から上部にかけては、温風供給装置１７を配設している。この温風供給装置１７は、この場合、外槽２外の背部に除湿器１８を配設し、上部に送風機１９と加熱器２０とを配設して成るもので、それらをダクト２１，２２により一つの通路状に連ね、更に、その入口部１７ａを外槽２の背部の最下部から外槽２内に連通させ、出口部１７ｂを外槽２の上部の最前部から外槽２内に連通させている。
【００１２】
ここで、詳細には、除湿器１８には、その上方に配設した注水弁２３から注水チューブ２４を通じて内部の散水器２５に水が供給され、その水を散水器２５が矢印Ａで示すように放散して落下させるようになっている。
又、送風機１９は、羽根車１９ａの回転により、矢印Ｂで示すように、内槽１２内の空気を外槽２内を通じて入口部１７ａから除湿器１８内に吸入し、そして、その除湿器１８内から送風機１９を経て加熱器２０を通し、出口部１７ｂから外槽２内を通じて内槽１２内に戻すようになっている。
【００１３】
その過程で、除湿器１８内では、ここを通る内槽１２内の空気を、前記散水器２５から放散された水により冷却して除湿するようになっている。又、加熱器２０では、ここを通る除湿後の空気をヒータ２０ａが熱して温風化するようになっており、かくして、内槽１２内に温風を供給するようになっている。
【００１４】
このほか、図２には、モータ１６に対して設けた回転センサ２６を示しており、この回転センサ２６はロータ１６ａの回転ひいては内槽１２の回転を検知するようになっている。
更に、図２には、外槽２内に注水するための注水ケース２７、注水ケース２７を通じて外槽２内にもっぱら風呂の残り湯を供給する給水ポンプ２８を示しており、そのほか、前記外箱１の前上部に内設した例えばマイクロコンピュータから成る制御手段である制御装置２９を示している。
【００１５】
一方、図３には、外箱１の前上部に設けた操作パネル３０を示しており、この操作パネル３０には、使用者が洗濯乾燥機の運転に係る各種の操作をするための各種操作スイッチ３１が存し、その中でも、３１ａは使用者が選択設定するうちの運転のコース設定をするためのコース設定スイッチ、３１ｂは同選択設定するうちの乾燥行程の内容設定をするための乾燥設定スイッチを示している。なお、この場合、選択設定される運転のコースには、図３のほか、図１に示すように、「標準」とそれより強力で且つ長時間の「しっかり」及び短時間の「スピーディ」があり、乾燥行程の内容には、「標準」とそれより乾燥率の低い「アイロン」及び低温の「ちぢみ低減」がある。
そして、そのほか、操作パネル３０には、洗濯乾燥機の運転に係る各種の表示をする表示部３２が存し、その中でも、３２ａは乾燥容量の超過を「乾燥容量オーバー」の文字とランプの点灯とで表示する乾燥容量超過表示部を示している。
【００１６】
図４には、前記制御装置２９のほか、前記操作パネル３０の各種操作スイッチ３１と、外槽２内の水位を検知するように設けた水位センサ３３、前記ドア４の開閉を検知するように設けたドアスイッチ３４、及び前記回転センサ２６を示しており、これらのスイッチ信号又は検知信号を制御装置２９に入力するようにしている。
【００１７】
そして、それらの入力並びにあらかじめ記憶された制御プログラムに基づいて、制御装置２９は、前記操作パネル３０の表示部３２を制御すると共に、外槽２内に給水するように設けた給水弁３５と、前記排水弁９、注水弁２３、モータ１６、ヒータ１１、ヒータ２０ａ、送風機１９、及びドア４をロック(閉鎖拘束)するように設けたドアロック装置３６を、駆動回路３７を介して制御するようになっている。
【００１８】
次に、上記構成のものの作用を述べる。
まず、使用者が、内槽１２内に洗濯物を入れてドア４を閉じると共に、洗剤をセットし、電源を投入して、コース設定スイッチ３１ａによる運転のコース設定、乾燥設定スイッチ３１ｂによる乾燥行程の内容設定を含む選択設定をした後に、運転を開始させれば、制御装置２９が図５に示す作動を開始（スタート）して、最初にドアロック装置３６を作動させることにより、ドア４のロックをする（ステップＳ１）。
【００１９】
次いで、洗濯物の量の検知をする（ステップＳ２）。この洗濯物の量の検知は、例えばモータ１６を所定の入力で起動させた後に、それを終了し、そのときのそれぞれ回転センサ２６の検知結果を読み込むことにより行うもので、モータ１６を起動させれば、内槽１２が回転され、起動を終了すれば、内槽１２が惰性回転する。その各回転は、内槽１２に収容した洗濯物の量が多いほど、回転の負荷が大きくなることにより、少ない回転数となって回転センサ２６で検知されるから、その検知結果をそれぞれ読み込むことによって洗濯物の量が検知される。従って、このときに、回転センサ２６は洗濯物量検知手段として機能する。
【００２０】
この後、上記ステップＳ２での検知結果から、内槽１２に収容した洗濯物の量が乾燥容量を超過しているか否かの判断をする（ステップＳ３）。従って、このときに、制御装置２９は乾燥容量超過判断手段として機能する。又、ここで、その判断は、先の使用者による選択設定に応じて行うもので、その判断に関するしきい値は、図１に示すように、使用者による選択設定に応じて異ならせている。具体的には、この場合、使用者による選択設定が、運転のコースについて「標準」であるか「しっかり」であれば、しきい値は「６〔ｋｇ〕」としており、同コースについて「スピーディ」であれば、しきい値は「２〔ｋｇ〕」としている。又、使用者による選択設定が、乾燥行程の内容について「標準」であれば、しきい値は「６〔ｋｇ〕」としており、同内容について「アイロン」であるか「スピーディ」であれば、しきい値は「４．５〔ｋｇ〕」としている。
【００２１】
そして、その各選択設定でのしきい値に対し、ステップＳ２で検知した洗濯物の量がそれを超過している（ＹＥＳ）と判断されれば、乾燥容量超過表示部３２ａを例えば発光により明示させることによってその旨の報知をする（ステップＳ４）。従って、このときに、乾燥容量超過表示部３２ａは乾燥容量の超過を報知する乾燥容量超過報知手段として機能する。
【００２２】
この後、前記ドアロック装置３６によるドア４のロックを解除し（ステップＳ５）、その後、１分間が経過したか否かの判断をする（ステップＳ６）。このステップＳ６で、１分間が経過していない（ＮＯ）と判断されるうちは、ドア４が開放されたか否かの判断をし（ステップＳ７）、開放されていない（ＮＯ）と判断されれば、ステップＳ５に戻る。すなわち、１分間、ドア４のロックを解除し続けるものであり、この１分間で、使用者は乾燥容量を超過した分の洗濯物を取出せば良い。
【００２３】
そして、ステップＳ７で、ドア４が開放された（ＹＥＳ）と判断されれば、前記乾燥容量超過表示部３２ａによる乾燥容量超過の表示（乾燥容量超過の報知）を消去し（ステップＳ８）、その後に、ドア４が閉鎖されたか否かの判断をする（ステップＳ９）。このステップＳ９で、ドア４が閉鎖された（ＹＥＳ）と判断されれば、再び、ドアロック装置３６を作動させることにより、ドア４のロックをし（ステップＳ１０）、その後に、給水弁３５を開放させることにより、外槽２内への給水を実行する（ステップＳ１１）。
なお、ドア４が開放されないまま、前記ステップＳ６で１分間が経過した（ＹＥＳ）と判断されれば、ステップＳ１０へ進む。又、ステップＳ３で、洗濯物の量が乾燥容量を超過していない（ＮＯ）と判断されれば、ステップＳ１１に進む。
【００２４】
しかして、ステップＳ１１の後には、内槽１２を回転させることにより洗いを実行し（ステップＳ１２）、次いで、排水した後に、再度給水した上で、内槽１２を回転させることによりすすぎを実行する（ステップＳ１３）。そして、排水した後に、内槽１２を高速回転させることにより脱水を実行し（ステップＳ１４）、その後に、２回目の洗濯物の量の検知をし（ステップＳ１５）、更に、２回目の、洗濯物の量が乾燥容量を超過しているか否かの判断を、前回（ステップＳ３）の判断同様、使用者による選択設定に応じて行う（ステップＳ１６）。
【００２５】
これは、前回（ステップＳ２）の洗濯物の量の検知が洗濯前の乾燥した洗濯物に対してであって、それに対し、今回の洗濯物の量の検知が洗濯の結果で湿った洗濯物に対してであるからであり、洗濯物の布質によっては、前回の洗濯物の量の検知では乾燥容量の超過と判断されたものでも、検知し直すことによって超過と判断されない可能性があるからである。
【００２６】
そして、ステップＳ１６で、洗濯物の量が使用者による選択設定ごとのしきい値を超過している（ＹＥＳ）と判断されれば、上述のステップＳ４〜Ｓ１０と同様のＳ１７〜Ｓ２３を経て、内槽１２を回転させると共に、内槽１２内に温風供給装置１７により温風を供給することにより、乾燥を実行する（ステップＳ２４）。又、ステップＳ１６で超過していない（ＮＯ）と判断されれば、直ちにステップＳ２４に進む。
ステップＳ２４の後、制御装置２９は作動を終了し、洗濯乾燥機の運転を終了させる。
【００２７】
このように、本構成のものでは、洗濯物の洗濯、脱水、乾燥を行うもので、その開始後に洗濯物の量の検知を行い、その検知結果が乾燥容量を超過していると判断されたときにその旨の報知をするものにおいて、上記乾燥容量の超過判断のしきい値を、使用者による選択設定に応じて異ならせている。これにより、乾燥容量の超過判断のしきい値は、使用者による選択設定に応じた値となるものであり、乾燥容量の超過判断に基づく報知が、使用者による選択設定に応じてできることになる。従って、乾燥不足を洗濯乾燥機の乾燥容量の超過判断の不確かさで来たすようなこともなく、又、使用者が不必要な洗濯物の取り出し作業を洗濯乾燥機の乾燥容量の超過判断の不確かさで強いられることもないようにできる。
【００２８】
なお、ステップＳ７、Ｓ２０における判断は、ドア４が開放されたか否かの判断をするのではなく、一時停止スイッチが操作されたか否かの判断をすることによって洗濯物が取出されたか否かの判断をするようにしても良い。又、それに応じて、ステップＳ９、Ｓ２２における判断も、一時停止スイッチが再度操作されたか否か（再スタート操作があったか否か）の判断をするようにしても良い。
【００２９】
加えて、ステップＳ１５における２回目の洗濯物の量の検知の後、ステップＳ１６における洗濯物の量が乾燥容量を超過しているか否かの判断で、超過していない（ＮＯ）と判断されとき、直ちにステップＳ２４に進まず、ステップＳ４で行った乾燥容量超過の表示（乾燥容量超過の報知）を消去する表示の補正をしてから、ステップＳ２４に進むようにしても良い。
【００３０】
そのほか、本発明は上記し且つ図面に示した実施例にのみ限定されるものではなく、特に、洗濯乾燥機全体としては、上述のドラム式に限られず、槽を縦軸状に有する縦軸形のものであっても良いなど、要旨を逸脱しない範囲内で適宜変更して実施し得る。
【図面の簡単な説明】
【００３１】
【図１】本発明の一実施例を示す、乾燥容量超過判断のしきい値を使用者の選択設定ごとに表した図
【図２】洗濯乾燥機全体の破断側面図
【図３】操作パネルの拡大正面図
【図４】電気的構成のブロック図
【図５】作用説明のためのフローチャート
【符号の説明】
【００３２】
図面中、２６は回転センサ（洗濯物量検知手段）、２９は制御装置（乾燥容量超過判断手段）、３２ａは乾燥容量超過表示部（報知手段）を示す。
【図１】
2005168895.tif 000003
【図２】
2005168895.tif 000004
【図３】
2005168895.tif 000005
【図４】
2005168895.tif 000006
【図５】
2005168895.tif 000007